(57)【要約】【課題】補機破損防止用に設けられた過電圧保護回路の動作に至らない程度の電圧異常による補機の誤動作を防止し得る発電システムを提供する。【解決手段】パワーコンディショナ６に燃料電池５の補機８に供給する制御電源（ＤＣ２４Ｖ）を生成する制御電源部１３を備え、この制御電源部１３に出力電圧が所定の上限電圧Ｖ１以上になると制御電源部１３の出力を遮断する過電圧保護回路１４を備えさせる。そして、補機制御部９に、制御電源部１３の出力電圧を監視する２４Ｖ監視回路１１を設け、制御電源部１３の出力電圧が上限電圧Ｖ１未満であるが所定の正常電圧範囲を外れた場合には、補機制御部９が補機停止処理を行った後にパワーコンディショナ制御部１２に対して制御電源部１３の出力遮断を指令する電源遮断信号を出力するように構成する。【選択図】図１
2015222622.tif 000002
【特許請求の範囲】
【請求項１】
燃料電池と、前記燃料電池で発電された直流電力を電力系統に連系可能な交流電力に変換するパワーコンディショナとを備えた発電システムであって、
前記燃料電池が、燃料電池スタックと、前記燃料電池スタックを動作させるための補機と、前記補機を制御する補機制御部とを有し、前記パワーコンディショナが、前記補機に供給する制御電源を生成する制御電源部と、パワーコンディショナ各部を制御するパワーコンディショナ制御部とを有するものにおいて、
前記制御電源部は、その出力電圧が所定の上限電圧以上になると制御電源部の出力を遮断する過電圧保護回路を備え、
前記補機制御部は、前記制御電源部の出力電圧を監視し、その出力電圧が、前記上限電圧未満であるが所定の正常電圧範囲を外れた場合に、所定の補機停止処理を行った後に前記制御電源部の出力を遮断させる制御構成を備えている
ことを特徴とする発電システム。
【請求項２】
前記補機制御部は、前記制御電源部の出力電圧を監視するための電圧監視回路を備えるとともに、前記パワーコンディショナ制御部と通信可能に構成され、
前記電圧監視回路において、前記制御電源部の出力電圧が前記正常電圧範囲を外れたことを検出したときには、前記パワーコンディショナ制御部に対して前記制御電源部の出力遮断を指令する電源遮断信号を送信する制御構成を備えている
ことを特徴とする請求項１に記載の発電システム。
【請求項３】
前記補機制御部は、前記補機停止処理を行うときに所定の報知部を通じて前記制御電源部が異常である旨を報知させる制御構成を備えている
ことを特徴とする請求項１または２に記載の発電システム。
【発明の詳細な説明】
【技術分野】
【０００１】
この発明は発電システムに関し、より詳細には、燃料電池の補機を動作させるための制御電源部がパワーコンディショナに備えられている発電システムに関する。
【背景技術】
【０００２】
従来、発電部として燃料電池を備えた発電システムにおいては、燃料電池の補機を動作させるための制御電源をパワーコンディショナの制御電源部で生成するように構成したものがある（たとえば、特許文献１参照）。
【０００３】
このような発電システムにおいて、補機に定格入力電圧範囲（たとえば、ＤＣ２４Ｖ±５％）外の電圧、特に、高電圧（過電圧）が印加されると、補機の誤動作や破損を招き、これがために燃料等の制御が正常に行えなくなり、燃料電池スタックを劣化させるおそれがある。
【０００４】
そのため、この種の発電システムでは、過電圧印加による補機の破損等を防止するため、制御電源部の出力が所定の上限電圧（たとえば、ＤＣ３０Ｖ）以上になると、制御電源部の出力を遮断（シャットダウン）させる過電圧保護回路が備えられている。
【先行技術文献】
【特許文献】
【０００５】
【特許文献１】特開２０１１−４９０５３号公報
【発明の概要】
【発明が解決しようとする課題】
【０００６】
しかしながら、このような従来の発電システムには以下のような問題があり、その改善が望まれていた。
【０００７】
すなわち、この種の発電システムにおいて過電圧保護回路の上限電圧として設定される電圧値は、制御電源部のリップル電圧や誘導性負荷の動作に伴うサージ電圧などによる過電圧保護回路の誤動作を防止するために、定格入力電圧範囲の上限値であるＤＣ２５．２Ｖ（=２４×１．０５）に５Ｖ程度の余裕を持たせた値、たとえば、ＤＣ３０Ｖに設定されている。
【０００８】
しかし、制御電源部の故障の態様によっては、制御電源部の出力電圧が、定格入力電圧範囲の上限値（ＤＣ２５．２Ｖ）を超えるものの過電圧保護回路の上限電圧（ＤＣ３０Ｖ）に至らない状態や、定格入力電圧範囲の下限値（ＤＣ２２．８Ｖ（=２４×０．９５））未満の状態で安定することがある。このような場合、従来の過電圧保護回路による構成では、補機の入力電圧を定格入力電圧範囲内に維持することができず、補機に誤動作が生じるおそれがある。
【０００９】
本発明は、このような従来の問題点に鑑みてなされたものであって、その目的とするところは、補機破損防止用に設けられた過電圧保護回路の動作に至らない程度の電圧異常による補機の誤動作を防止し得る発電システムを提供することにある。
【課題を解決するための手段】
【００１０】
上記目的を達成するため、本発明の請求項１に記載の発電システムは、燃料電池と、上記燃料電池で発電された直流電力を電力系統に連系可能な交流電力に変換するパワーコンディショナとを備えた発電システムであって、上記燃料電池が、燃料電池スタックと、上記燃料電池スタックを動作させるための補機と、上記補機を制御する補機制御部とを有し、上記パワーコンディショナが、上記補機に供給する制御電源を生成する制御電源部と、パワーコンディショナ各部を制御するパワーコンディショナ制御部とを有するものにおいて、上記制御電源部は、その出力電圧が所定の上限電圧以上になると制御電源部の出力を遮断する過電圧保護回路を備え、上記補機制御部は、上記制御電源部の出力電圧を監視し、その出力電圧が、上記上限電圧未満であるが所定の正常電圧範囲を外れた場合に、所定の補機停止処理を行った後に上記制御電源部の出力を遮断させる制御構成を備えていることを特徴とする。
【００１１】
すなわち、請求項１に係る発電システムでは、制御電源部の出力電圧が所定の上限電圧以上になると過電圧保護回路によって制御電源部の出力が遮断される。また、制御電源部の出力電圧が、上記所定の上限電圧以上になっていないときでも、制御電源部の出力電圧が所定の正常電圧範囲（たとえば、補機の定格入力電圧範囲）を外れた場合には、所定の補機停止処理が行われた後に制御電源部の出力が遮断されるので、補機を安全に停止させた上で制御電源部の出力を停止させることができる。そのため、この請求項１の発電システムによれば、過電圧防止回路が動作しない程度の電圧異常による補機の誤動作を防止し得ることができる。
【００１２】
本発明の請求項２に記載の発電システムは、請求項１に記載の発電システムにおいて、上記補機制御部は、上記制御電源部の出力電圧を監視するための電圧監視回路を備えるとともに、上記パワーコンディショナ制御部と通信可能に構成され、上記電圧監視回路において、上記制御電源部の出力電圧が上記正常電圧範囲を外れたことを検出したときには、上記パワーコンディショナ制御部に対して上記制御電源部の出力遮断を指令する電源遮断信号を送信する制御構成を備えていることを特徴とする。
【００１３】
すなわち、請求項２に係る発電システムでは、制御電源部の出力電圧を監視するための電圧監視回路が補機制御部側に備えられるので、制御電源部の入出力を電源トランスで絶縁した構成を採用する場合であっても、電圧監視回路の回路構成を簡素化することができる。
【００１４】
本発明の請求項３に記載の発電システムは、請求項１または２に記載の発電システムにおいて、上記補機制御部は、上記補機停止処理を行うときに所定の報知部を通じて上記制御電源部が異常である旨を報知させる制御構成を備えていることを特徴とする。
【００１５】
すなわち、請求項３に係る発電システムでは、補機停止処理を行うときに制御電源部の異常が報知部を通じて報知されるので、補機の停止（つまり、発電停止）が制御部電源部の異常によるものであることを容易に把握することができる。
【発明の効果】
【００１６】
本発明によれば、補機に制御電源を供給する制御電源部の出力電圧に、補機破損防止用に設定された上限電圧（過電圧保護回路の動作電圧）に至らない程度の異常が発生したときには、所定の補機停止処理を行った後に制御電源部の出力が遮断されるので、補機の誤動作を防止しつつ、燃料電池を安全に停止させることができる。
【図面の簡単な説明】
【００１７】
【図１】本発明に係る発電システムを適用したコージェネレーション装置の概略構成の一例を示す構成図である。
【図２】同コージェネレーション装置における制御電源部の出力電圧異常時の処理手順の一例を示すフローチャートである。
【図３】同コージェネレーション装置における制御電源部の出力電圧異常時の処理手順の他の一例を示すフローチャートである。
【発明を実施するための形態】
【００１８】
以下、本発明の実施形態を図面に基づいて説明する。
実施形態１
図１は、本発明に係る発電システムを適用したコージェネレーション装置の概略構成を示している。この図１に示すコージェネレーション装置１は、燃料電池（Fuel Cell）を備えた燃料電池ユニット２と、燃料電池ユニット２の排熱を利用して生成した温水を貯留する貯湯タンク（図示せず）を備えた貯湯ユニット３と、リモコン４とを主要部として構成されている。
【００１９】
燃料電池ユニット２は、燃料電池５と、燃料電池５で発電された直流電力を図示しない電力系統（たとえば、単相ＡＣ１００／２００Ｖの商用電源）に連系可能な交流電力に変換するパワーコンディショナ６とを主要部として備えたユニットで構成されている。
【００２０】
燃料電池５は、周知のとおり、水素と酸素の電気化学反応によって得られる電気エネルギを直流電力として取り出す装置であって、電気化学反応によって発電を行う燃料電池スタック７と、燃料電池スタック７を動作させるための周辺機器である補機８と、主に補機８の制御を行う補機制御部９とで構成されている。
【００２１】
燃料電池スタック７は、燃料電池の最小単位であるセルを積層してなる構造体であって、本実施形態では、この燃料電池スタック７を構成するセルとして、固体酸化物型燃料電池（ＳＯＦＣ）が用いられている。なお、燃料電池スタック７は、固体酸化物型燃料電池に限られず、たとえば、固体高分子型燃料電池（ＰＥＦＣ）のセルを用いることも可能である。
【００２２】
補機８は、燃料電池スタック７を動作させる（換言すれば、燃料電池スタック７に発電を行わせる）ための各種機器で構成されている。具体的には、補機８は、天然ガスから水素（水素リッチガス）を生成する燃料処理装置、酸素（空気）を供給する空気供給装置などで構成されており、これらの装置には燃料昇圧ブロア、発電空気ブロア、純水供給ポンプなどの電気負荷が含まれている。なお、これら補機８の電気負荷は、いずれも後述するパワーコンディショナ６の制御電源部１３から制御電源（図示例では、ＤＣ２４Ｖ）の供給を受けて動作するように構成されている。
【００２３】
補機制御部９は、主に補機８の制御を行う制御装置であって、制御中枢を構成するマイコン１０と、制御電源部１３から補機８に供給する制御電源の電圧を監視する２４Ｖ監視回路（電圧監視回路）１１とを主要部として構成されている。
【００２４】
マイコン１０は、ＣＰＵ，ＲＯＭ，ＲＡＭ，Ｉ／Ｏポートなどを備えた周知の構成からなるマイクロコンピュータで構成されており、ＲＯＭに記憶された制御プログラムに基づいて、補機９の動作制御と、パワーコンディショナ６および貯湯ユニット３との通信とを行うように構成されている。また、このマイコン１０は、２４Ｖ監視回路１１で検出される制御電源部１３の出力電圧の情報が入力されるようになっており、制御電源部１３の出力電圧に異常がある場合には補機停止処理などの所定の処理を行うように構成されている（詳細は後述する）。
【００２５】
なお、本実施形態では、この補機制御部９は、後述するパワーコンディショナ６の制御部１２とは別の基板（補機制御基板）に実装されている。そして、制御電源部１３は、後述のコンバータ回路を構成する図示しない電源トランスを備え、その電源トランスによって制御電源部の入力側と、補機制御部９とが電気的に絶縁されており、制御電源部１３の電源トランスの出力側と補機８とが電源線１５を介して接続されている。また、マイコン１０とパワーコンディショナ６および貯湯ユニット３はそれぞれ通信線１６，１７を介して通信接続されている。
【００２６】
２４Ｖ監視回路１１は、電源線１５を介して補機８に供給される制御電源の電圧、すなわち、制御電源部１３の出力電圧であるＤＣ２４Ｖを監視するための回路であって、この２４Ｖ監視回路１１には、たとえば、電源線１５を介して補機８に供給される制御電源を分圧する分圧回路が用いられ、この分圧回路で分圧された電圧信号をマイコン１０のＡ／Ｄ入力ポートに入力するなどして、マイコン１０で制御電源の電圧を検出できるように構成している。
【００２７】
パワーコンディショナ６は、燃料電池スタック７で発電された直流電力を所定の交流電力に変換する電力変換装置であって、燃料電池スタック７で発電された直流電力の電圧を昇圧するコンバータ回路部と、コンバータ回路部で昇圧された直流電力を電力系統に系統連系可能な交流電力に変換するインバータ回路部（いずれも図示せず）と、これらコンバータ回路部およびインバータ回路部を含むパワーコンディショナ６の各部を制御するパワーコンディショナ制御部１２と、補機８に供給する制御電源（図示例ではＤＣ２４Ｖ）を生成する制御電源部１３とを主要部として備えている。なお、インバータ回路部から出力される交流電力は、パワーコンディショナ制御部１２によって開閉制御が行われる系統連系スイッチ（図示せず）を介して電力系統に接続されており、系統連系スイッチを閉じることにより燃料電池５を電力系統に系統連系させ、系統連系スイッチを開くことにより燃料電池５を電力系統から解列させることができるようになっている。
【００２８】
パワーコンディショナ制御部１２は、制御中枢としてマイコン（図示せず）を備えており、このマイコンに記憶された制御プログラムに基づいてパワーコンディショナ６の各部を制御する他、通信線１６を介して補機制御部９のマイコン１０と通信接続されており、補機制御部９との間でデータのやり取りができるように構成されている。
【００２９】
また、パワーコンディショナ制御部１２は、制御電源部１３の制御に関して、補機制御部９から制御電源部１３の出力遮断を指令する電源遮断信号を受信したときには、制御電源部１３の出力遮断を指令するシャットダウン信号を制御電源部１３に与えるように構成されている。
【００３０】
制御電源部１３は、補機８に供給する直流電力を生成する電源装置であって、本実施形態では、この制御電源部１３は、コンバータ回路部とインバータ回路部の間に配設されるＤＣリンク部から直流電力の供給を受けて、補機８に供給する直流電力（ＤＣ２４Ｖ）を生成するコンバータ回路を備えて構成されている。
【００３１】
また、この制御電源部１３は、補機８を過電圧による破損から保護するための過電圧保護回路１４が備えられている。この過電圧保護回路１４は、制御電源部１３の出力電圧（制御電源出力）があらかじめ設定された所定の上限電圧Ｖ１以上になると制御電源部１３の出力を遮断するように構成されている。なお、この過電圧保護回路１４としては、たとえば、ツェナーダイオード、トランジスタ、およびフォトカプラを含む周知の過電圧保護回路が用いられる。
【００３２】
ここで、過電圧保護回路１４が動作する上限電圧Ｖ１は、制御電源部１３から高電圧が出力されることによって補機８の電気負荷が破損しないように適宜設定される。具体的には、この上限電圧Ｖ１は、たとえば、制御電源部１３の出力電圧がＤＣ２４Ｖであり、補機８の定格入力電圧範囲がＤＣ２４Ｖ±５％である場合、制御電源部１３のリップル電圧や誘導性負荷の動作に伴うサージ電圧などによって過電圧保護回路１４が誤動作しないように、上記定格入力電圧範囲の上限値であるＤＣ２５．２Ｖ（=２４×１．０５）に５Ｖ程度の余裕を持たせた値（本実施形態では、ＤＣ３０Ｖ）に設定される。
【００３３】
貯湯ユニット３は、燃料電池スタック７が発電時に発生する排熱を利用して生成した温水を貯留する貯湯タンク（図示せず）を備えたユニットであって、この貯湯ユニット３に備えられた貯湯タンク内の温水が給湯用の温水として利用できるように（給湯機能を備えるように）構成されている。なお、貯湯タンク内の温水を利用した給湯機能の実現方法については周知であるので、ここではその説明は省略し、本発明の構成に関連する事項についてのみ説明する。
【００３４】
この貯湯ユニット３には、図示しない貯湯ユニット制御部が備えられている。この貯湯ユニット制御部は、貯湯ユニット３の各部を制御する制御装置であって、制御中枢として図示しないマイコンを備えており、このマイコンの制御プログラムに基づいて貯湯ユニット３の各部を制御するように構成されている。
【００３５】
そして、この貯湯ユニット制御部は、通信線１７を介して補機制御部１７と通信可能に構成されており、補機制御部１７のマイコン１０との間でデータのやり取りができるようになっている。また、貯湯ユニット制御部は、通信線１８を介してリモコン４とも通信可能に構成されており、リモコン４との間でもデータのやり取りができるようになっている。なお、貯湯ユニット３は、燃料電池ユニット２とは別の電源（異なる電源コンセント）から電力供給を受けるように構成されている。
【００３６】
リモコン４は、貯湯ユニット３を遠隔操作するための操作装置であって、このリモコン４には図示しない制御中枢としてのマイコンを備えたリモコン制御部と、図示ない操作部が備えられるほか、各種情報を表示可能な表示部１９が備えられている。なお、このリモコン４は、通信線１８を介して貯湯ユニット３から電力供給を受けて動作するように構成されている。
【００３７】
次に、このように構成されたコージェネレーション装置１における補機８の電気負荷に供給する制御電源に異常が発生したときの処理手順について、図２に基づいて説明する。
【００３８】
本実施形態に係るコージェネレーション装置１では、パワーコンディショナ６の制御電源部１３から補機８の電気負荷に供給される制御電源（２４Ｖ電源）は、補機制御部９の２４Ｖ監視回路１１で監視される（図２ステップＳ１参照）。すなわち、補機制御部９の２４Ｖ監視回路１１は、制御電源を分圧した電圧信号をマイコン１０に供給し、マイコン１０が以下の処理を行う。
【００３９】
すなわち、２４Ｖ監視回路１１から電圧信号が入力されたマイコン１０は、その電圧信号に基づいて、制御電源の電圧が過電圧保護回路１４の上限電圧Ｖ１（本実施形態ではＤＣ３０Ｖ）未満であるか否かを判断する（図２ステップＳ２参照）。
【００４０】
ここで、この判断が否定的、すなわち、制御電源の電圧がＤＣ３０Ｖ以上である場合には、制御電源部１３の過電圧保護回路１４が動作し、制御電源部１３の出力が遮断される（図２ステップＳ８参照）。
【００４１】
これに対し、図２ステップＳ２の判断が肯定的、すなわち、制御電源の電圧がＤＣ３０Ｖ未満である場合、次に、マイコン１０は、制御電源の電圧があらかじめ設定された所定の正常電圧範囲を外れていないかどうかを判断する（図２ステップＳ３参照）。
【００４２】
ここで、この正常電圧範囲は、上記上限電圧Ｖ１未満で適宜設定されるが、たとえば、補機８の電気負荷の定格入力電圧範囲に設定される。すなわち、定格入力電圧範囲外の電圧が補機８の電気負荷に供給されると補機８が誤動作するおそれがあるからである。本実施形態では、この正常電圧範囲として、補機８の電気負荷の定格入力電圧範囲であるＤＣ２４Ｖ±５％の範囲に設定される。
【００４３】
したがって、図２ステップＳ３では、制御電源の電圧が、定格入力電圧範囲の上限値であるＤＣ２５．２Ｖ（=２４×１．０５）を超えているか否か、および、定格入力電圧範囲の下限値であるＤＣ２２．８Ｖ（=２４×０．９５）未満であるか否かが判断される。
【００４４】
そして、図２ステップＳ３の判断において、いずれか一方でも肯定的であれば、次に、マイコン１０は、この状態が一定時間Ｔ（たとえば、１秒）の間継続しているか否かを判断する（図２ステップＳ４参照）。
【００４５】
ここで、制御電源の電圧が２５．２Ｖを超えている状態または２２．８Ｖ未満の状態が一定時間Ｔの間継続しているか否かを判断するようにしているのは、瞬間的な電圧サージなどで誤判断しないようにするためである。したがって、この一定時間Ｔは、たとえば数秒乃至十数秒にするなど適宜設定変更可能である。
【００４６】
そして、図２ステップＳ４の判断が肯定的である場合、つまり、制御電源の電圧が正常範囲外の状態を一定時間Ｔ継続した場合には、次に、マイコン１０は、所定の補機停止処理を実行する（図２ステップＳ５参照）。
【００４７】
すなわち、この場合、制御電源部１３は過電圧保護回路１４が動作するには至っていないが出力電圧に異常があるといえるので、マイコン１０は、補機８の動作を停止させる処理を行うようにしている。
【００４８】
ここで、補機停止処理について説明する。この補機停止処理は、補機制御部９のマイコン１０が補機８に対してその動作の停止を指令することにより行われる。具体的には、マイコン１０は、補機８の電気負荷（燃料昇圧ブロア、発電空気ブロア、純水供給ポンプなど）の動作を停止させて、燃料電池スタック７への燃料や空気の供給を遮断し、燃料電池スタック７での発電を停止させる。
【００４９】
より具体的には、この補機停止処理を行うにあたり、コージェネレーション装置１では以下の処理が実行される。
【００５０】
すなわち、図２ステップＳ４の判断が肯定的となった場合、マイコン１０は、まずその旨（制御電源の電圧が正常範囲外の状態を一定時間Ｔ継続した旨）をパワーコンディショナ制御部１２に送信する。
【００５１】
パワーコンディショナ制御部１２は、この情報を取得すると、コンバータ回路部およびインバータ回路部の動作を停止させるとともに、系統連系スイッチを開いて燃料電池５を電力系統から解列させる。なお、インバータ回路部を電力系統から解列するのに伴って、図示しないブリッジダイオードを介して電力系統から制御電源部１３の入力側に電力供給が開始され、制御電源出力が継続される。
【００５２】
そして、燃料電池５を電力系統から解列させると、次に、パワーコンディショナ制御部１２は、パワーコンディショナ６への入力電流が０Ａになったか否かを判断し、入力電流が０Ａになると、その旨を補機制御部９に送信する。
【００５３】
パワーコンディショナ６の入力電流が０Ａとなった旨が補機制御部９に伝えられると、ここで補機制御部９のマイコン１０は、補機８の電気負荷（燃料昇圧ブロア、発電空気ブロア、純水供給ポンプなど）の動作を停止させる。
【００５４】
補機８の電気負荷の動作を停止させると、次に、マイコン１０は、燃料（天然ガス）、水、空気の各供給流量が０ＮＬ／ｍｉｎとなったか否かを判断し、これらが０ＮＬ／ｍｉｎとなっていれば、パワーコンディショナ制御部１２に対して制御電源部１３の出力遮断を指令する電源遮断信号を送信する（図２ステップＳ６参照）。つまり、マイコン１０は、燃料、水、空気の供給が停止していることを確認したうえで、パワーコンディショナ制御部１２に電源遮断信号を送信する。
【００５５】
このようにして、パワーコンディショナ制御部１２に補機制御部９からの電源遮断信号が伝えられると、パワーコンディショナ制御部１２は制御電源部１３に対して動作を停止（つまり、制御電源部１３の出力を停止）させるシャットダウン信号を出力し、制御電源部１３の動作を停止させる（図２ステップＳ７参照）。
【００５６】
このように、本実施形態に示すコージェネレーション装置１では、制御電源部１３から補機８を破損するおそれのある高電圧（上限電圧Ｖ１以上の電圧）が出力されそうになったときは過電圧保護回路１４を動作させて制御電源部１３の出力を停止させる一方、そこまでには至らないが正常電圧範囲外の電圧が出力されたときには、所定の補機停止処理を行った後に制御電源部１３の出力を遮断するので、補機８の誤動作を防止しつつ、燃料電池５を安全に停止させることができる。
【００５７】
また、制御電源部１３の出力電圧の異常による制御電源の遮断を、制御電源部１３に備えられた過電圧保護回路１４による遮断と、補機制御部９からの電源遮断信号に基づく遮断とで分担したことにより、補機８を破損するおそれのある高電圧（過電圧）の印加は通信によるタイムラグなしに迅速に回避することができる。
【００５８】
実施形態２
次に、本発明の第２の実施形態について、図３に基づいて説明する。この第２の実施形態に示すコージェネレーション装置は、補機停止処理を行うときに所定の報知部を通じて制御電源部１３が異常である旨を報知する構成を追加したものであり、その他の構成は実施形態１に示すコージェネレーション装置１と同様である。したがって、構成が共通する部分には同一の符号を付して説明を省略する。
【００５９】
図３は、コージェネレーション装置１における制御電源部１３の出力電圧に異常があったときの処理手順を示しており、図３ステップＳ１〜Ｓ５までは図２ステップＳ１〜Ｓ５と、図３ステップＳ７〜Ｓ９までは図２ステップＳ６〜Ｓ８と同様である。
【００６０】
そして、本実施形態に示すコージェネレーション装置１では、補機制御部９が補機停止処理を行った後に、リモコン４の表示部（報知部）１９に制御電源部１３に異常がある旨のエラー表示を行わせるようにしている（図３ステップＳ６参照）。
【００６１】
したがって、本実施形態によれば、コージェネレーション装置１のユーザは、リモコン４の表示部１９の表示を確認することで、制御電源部１３に異常があること、つまり、補機の停止（燃料電池スタック７の発電停止）が制御電源部１３の異常によるものであることを容易に把握することができる。
【００６２】
なお、本実施形態では、制御電源部１３の異常をリモコン４の表示部１９に表示する場合を示したが、リモコン４に表示部１９以外の報知部（たとえば、音声メッセージや警報音などを出力する音響出力部など）がある場合には、表示部１９の表示に代えて、または、表示部１９の表示と合わせて、音響出力部による報知を行うように構成することもできる。
【００６３】
また、本実施形態では、報知部を通じた制御電源部１３の異常報知が補機停止処理後に行われる場合を示したが、補機停止処理を行う前、たとえば、燃料電池５の解列後に報知するように構成することも可能である。
【００６４】
なお、上述した実施形態は本発明の好適な実施態様を示すものであって、本発明はこれに限定されることなく発明の範囲内で種々の設計変更が可能である。
【００６５】
たとえば、上述した実施形態では、パワーコンディショナ６を燃料電池ユニット２内に収容した場合を示したが、パワーコンディショナ６は燃料電池５とは別ユニットに収容することもできる。
【００６６】
また、上述した実施形態では、貯湯ユニット３の貯湯タンク内の温水の利用方法として給湯機能を例示したが、貯湯タンク内の温水は給湯以外の目的（たとえば、浴槽への温水落とし込みや温水暖房装置などへの供給など）に利用するように構成することも可能である。
【符号の説明】
【００６７】
１              コージェネレーション装置
２              燃料電池ユニット
３              貯湯ユニット
４              リモコン
５              燃料電池
６              パワーコンディショナ
７              燃料電池スタック
８              補機
９              補機制御部
１０            マイコン
１１            ２４Ｖ監視回路（電圧監視回路）
１２            パワーコンディショナ制御部
１３            制御電源部
１４            過電圧保護回路
【図１】
2015222622.tif 000003
【図２】
2015222622.tif 000004
【図３】
2015222622.tif 000005